(57)【特許請求の範囲】
【請求項１】
刃体部が取り付けられた本体と、
前記刃体部の少なくとも刃先を囲う第１の位置と、刃先を囲わない第２の位置との間を前記本体に対してスライド自在に構成された保護部と、
前記本体に回動自在に配置された切替部と、
前記切替部と前記保護部との間に配置され、一方端が前記切替部に、他方端が前記保護部に回動自在に連結された連結部とを備え、
前記切替部が前記刃体部側にあるとき、前記保護部は前記第１の位置に移動し、
前記切替部が前記刃体部と反対側にあるとき、前記保護部は前記第２の位置に移動し、
前記切替部の一方端は、前記本体に第１軸で連結され、
前記切替部の他方端は、前記連結部の前記一方端に第２軸で連結される、彫刻刀。
【請求項２】
前記連結部の他方端は、前記保護部に第３軸で連結され、
前記保護部が前記第１の位置にあるとき、前記第１軸及び前記第３軸を結ぶ線は、前記スライド方向と平行であり、
前記第２軸は、前記第１軸及び前記第３軸を結ぶ線よりも前記本体側に位置すると共に、前記連結部は、前記本体に寄り添っている、請求項１記載の彫刻刀。
【請求項３】
前記保護部が前記第２の位置にあるとき、前記第１軸及び前記第３軸を結ぶ線は、前記スライド方向と平行であり、
前記第２軸は、前記第１軸及び前記第３軸を結ぶ線の延長線よりも前記本体側に位置すると共に、前記連結部は、前記本体に寄り添っている、請求項２記載の彫刻刀。
【請求項４】
前記切替部は、前記第２軸側に前記切替部の前記他方端を引き起こすための舌片を備える、請求項１から請求項３のいずれかに記載の彫刻刀。
【発明の詳細な説明】
【技術分野】
【０００１】
この発明は彫刻刀に関し、特に学童等が使用する彫刻刀に関するものである。
【背景技術】
【０００２】
図１０は特許文献１に示されている従来の彫刻刀の外観形状を示した斜視図である。
【０００３】
図を参照して、彫刻刀８１は、柄部８３と、柄部８３に一体に取り付けられた刃体部８４と、刃体部８４の少なくとも刃先８５近傍に配置可能なガード部８６を有する保護部材８７とを備えている。保護部材８７は柄部８３又は刃体部８４と一体に取り付けられ、柄部８３又は刃体部８４に対して相対的に移動可能となっている。そして保護部材８７を移動させることにより、ガード部８６が刃先８５近傍に位置する保護姿勢と、刃先８５の周囲からガード部８６が退去する開放姿勢とに切り替えることができる。これにより、刃物に不慣れな者は保護姿勢で使用し、刃物の扱いに長けた者は開放姿勢で使用できる。
【先行技術文献】
【特許文献】
【０００４】
【特許文献１】特開２０１３−１２１６８２号公報
【発明の概要】
【発明が解決しようとする課題】
【０００５】
しかしながら上述のような従来の彫刻刀８１は、多数の部材によって構成されているためコストが高くなる虞がある。
【０００６】
上記の課題を解決するために、本発明は、安全性が向上し、又、コストが低減された彫刻刀を提供することを目的とする。
【課題を解決するための手段】
【０００７】
上記の目的を達成するために、請求項１記載の発明は、刃体部が取り付けられた本体と、刃体部の少なくとも刃先を囲う第１の位置と、刃先を囲わない第２の位置との間を本体に対してスライド自在に構成された保護部と、本体に回動自在に配置された切替部と、切替部と保護部との間に配置され、一方端が切替部に、他方端が保護部に回動自在に連結された連結部とを備え、切替部が刃体部側にあるとき、保護部は第１の位置に移動し、切替部が刃体部と反対側にあるとき、保護部は第２の位置に移動し、切替部の一方端は、本体に第１軸で連結され、切替部の他方端は、連結部の一方端に第２軸で連結されるものである。
【０００８】
このように構成すると、刃先から離れた位置の切替部を本体に対して回動させることで、保護部が連結部に押され又は引かれるようにしてスライドし、刃先が保護部に囲われた状態と、刃先が保護部に囲われていない状態とに切り替えることができる。
【０００９】
請求項２記載の発明は、請求項１記載の発明の構成において、連結部の他方端は、保護部に第３軸で連結され、保護部が第１の位置にあるとき、第１軸及び第３軸を結ぶ線は、スライド方向と平行であり、第２軸は、第１軸及び第３軸を結ぶ線よりも本体側に位置すると共に、連結部は、本体に寄り添っているものである。
【００１０】
このように構成すると、保護部が第１の位置にあるときに、保護部を第２の位置にスライドさせる外力が加えられると、連結部は本体側に移動しようとする。しかしながら、連結部は本体に寄り添っているので移動しない。
【００１１】
請求項３記載の発明は、請求項２記載の発明の構成において、保護部が第２の位置にあるとき、第１軸及び第３軸を結ぶ線は、スライド方向と平行であり、第２軸は、第１軸及び第３軸を結ぶ線の延長線よりも本体側に位置すると共に、連結部は、前記本体に寄り添っているものである。
【００１２】
このように構成すると、保護部が第２の位置にあるときに、保護部を第１の位置にスライドさせる外力が加えられると、連結部は本体側に移動しようとする。しかしながら、連結部は本体に寄り添っているので移動しない。
【００１３】
請求項４記載の発明は、請求項１から請求項３のいずれかに記載の発明の構成において、切替部は、第２軸側に切替部の他方端を引き起こすための舌片を備えるものである。
【００１４】
このように構成すると、舌片を引き起こして切替部を回動させることができる。
【発明の効果】
【００１５】
以上説明したように、請求項１記載の発明は、刃先から離れた位置の切替部を本体に対して回動させることで、保護部が連結部に押され又は引かれるようにしてスライドし、刃先が保護部に囲われた状態と、刃先が保護部に囲われていない状態とに切り替えることができるため、安全性が向上する。又、簡単な構造となるためコストを低減させることができる。
【００１６】
請求項２の発明は、請求項１記載の発明の効果に加えて、保護部が第１の位置にあるときに、保護部を第２の位置にスライドさせる外力が加えられると、連結部は本体側に移動しようとする。しかしながら、連結部は本体に寄り添っているので移動しない。その結果、保護部が不用意に第２の位置へスライドすることはないので、彫刻刀の安全性がより向上する。
【００１７】
請求項３の発明は、請求項２記載の発明の効果に加えて、保護部が第２の位置にあるときに、保護部を第１の位置にスライドさせる外力が加えられると、連結部は本体側に移動しようとする。しかしながら、連結部は本体に寄り添っているので移動しない。その結果、保護部が不用意に第１の位置へスライドすることはないので、彫刻刀の使用勝手が損なわれることはない。
【００１８】
請求項４記載の発明は、請求項１から請求項３のいずれかに記載の発明の効果に加えて、舌片を引き起こして切替部を回動させることができるため、切替を容易に行うことができる。
【図面の簡単な説明】
【００１９】
【図１】この発明の第１の実施の形態による彫刻刀の外観形状を示した斜視図である。
【図２】図１で示した彫刻刀の分解斜視図である。
【図３】図１で示した彫刻刀の正面図である。
【図４】図１で示した彫刻刀の平面図である。
【図５】図１で示した彫刻刀の底面図である。
【図６】図１で示した彫刻刀の両側面図である。
【図７】図１で示した彫刻刀の他の状態の正面図である。
【図８】図１で示した彫刻刀の切替操作を説明するための彫刻刀の正面図である。
【図９】図８に対応した断面図である。
【図１０】特許文献１に示されている従来の彫刻刀の外観形状を示した斜視図である。
【発明を実施するための形態】
【００２０】
図１はこの発明の第１の実施の形態による彫刻刀の外観形状を示した斜視図であり、図２は図１で示した彫刻刀の分解斜視図であり、図３は図１で示した彫刻刀の正面図であり、図４は図１で示した彫刻刀の平面図であり、図５は図１で示した彫刻刀の底面図であり、図６は図１で示した彫刻刀の両側面図であり、図７は図１で示した彫刻刀の他の状態の正面図である。尚、図６中、（１）は図１で示した彫刻刀の左側面図を、（２）は図１で示した彫刻刀の右側面図をそれぞれ示している。
【００２１】
これらの図を参照して、彫刻刀１１は、刃体部１７が取り付けられた本体１５と、後述するように刃体部１７の刃先１８を囲う第１の位置と、刃先１８を囲わない第２の位置との間を本体１５に対してスライド自在に構成された保護部２１と、本体１５に回動自在に配置された切替部２５と、切替部２５と保護部２１との間に配置され、一方端が切替部２５に、他方端が保護部２１にそれぞれ回動自在に連結された連結部２８とを中心として構成されている。尚、切替部２５の一方端は、本体１５に第１軸３１で連結され、切替部２５の他方端は連結部２８の一方端に第２軸３２で連結され、連結部２８の他方端は保護部２１に第３軸３３で連結されている。又、切替部２５は、第２軸３２側に、切替部２５の他方端を引き起こすための舌片２６を備えている。更に、連結部２８の切替部２５側には、保護部２１の先端２２が第１の位置にあるときに舌片２６を収納可能な収納部２９が形成されている。一方、本体１５の切替部２５側には、保護部２１の先端２２が第２の位置にあるときに舌片２６を収納可能な収納部１６が形成されている。
【００２２】
そして切替部２５の舌片２６が連結部２８の収納部２９に収納されると、図３で示すように、保護部２１の先端２２は、保護部２１によって刃先１８が囲われる第１の位置（Ｐ１）に位置するように設定されている。その際、第１軸３１及び第３軸３３を結ぶ線（図３中、一点鎖線）は、保護部２１のスライド方向と平行であり、第２軸３２は、第１軸３１及び第３軸３３を結ぶ線（一点鎖線）よりも本体１５側に位置するように設定されている。又、保護部２１の先端２２が第１の位置にあるとき、連結部２８は本体１５に寄り添うように設定されている。尚、これらの設定による効果については後述する。
【００２３】
一方、切替部２５の舌片２６が本体１５の収納部１６に収納されると、図７で示すように、保護部２１の先端２２は、保護部２１によって刃先１８が囲われない第２の位置（Ｐ２）に位置するように設定されている。その際、第１軸３１及び第３軸３３を結ぶ線（図７中、一点破線）は、保護部２１のスライド方向と平行であり、第２軸３２は、第１軸３１及び第３軸３３を結ぶ線（一点鎖線）の延長線よりも本体１５側に位置するように設定されている。又、保護部２１の先端２２が第２の位置にあるとき、連結部２８は本体１５に寄り添うように設定されている。尚、これらの設定による効果についても後述する。
【００２４】
次に、図１で示した彫刻刀１１の保護状態の切替操作について説明する。
【００２５】
図８は図１で示した彫刻刀の切替操作を説明するための彫刻刀の正面図であり、図９は図８に対応した断面図である。尚、図９における断面図は、図４で示したＶＩＩＩ−ＶＩＩＩラインで切断した断面図に相当する。
【００２６】
これらの図を参照して、図８及び図９でそれぞれ（１）に示すように、彫刻刀１１の保護状態にあっては、切替部２５の舌片２６は連結部２８の収納部２９に収納される。このとき、保護部２１の先端２２は図８の（１）で示す第１の位置（Ｐ１）にあり、刃先１８は保護部２１によって囲われている。そのため、彫刻刀１１の取り扱いに不慣れな学童等は、保護状態で彫刻刀１１を使用することで、自身の指を彫刻刀１１の刃先１８から保護して安全に使用することができる。
【００２７】
尚、保護部２１の先端２２が第１の位置（Ｐ１）にあるとき、上述したように、第１軸３１及び第３軸３３を結ぶ線（図８中、一点鎖線）は、保護部２１のスライド方向と平行であり、第２軸３２は、第１軸３１及び第３軸３３を結ぶ線（一点鎖線）よりも本体１５側に位置すると共に、連結部２８は本体１５に寄り添っている。したがって、彫刻刀１１の保護状態で、保護部２１を第２の位置（Ｐ２）にスライドさせる外力が加えられると、連結部２８は本体１５側に移動しようとする。しかしながら、連結部２８は本体１５に寄り添っているので移動しない。その結果、保護状態において保護部２１が不用意に第２の位置（Ｐ２）へスライドすることはないので、彫刻刀１１の安全性がより向上する。
【００２８】
次に、彫刻刀１１の保護状態を解除するには、図８及び図９でそれぞれ（２）に示すように、切替部２５の舌片２６を引き起こす。更に、図８及び図９でそれぞれ（３）に示すように、舌片２６を刃体部１７と反対側に回動させる。そうすると、保護部２１は連結部２８に引かれるようにして第２の位置（Ｐ２）に向かって移動する。そして図８及び図９でそれぞれ（４）に示すように、切替部２５の舌片２６を本体１５の収納部１６へ向けて更に引き起こしていく。
【００２９】
最終的に、図８及び図９でそれぞれ（５）に示すように、切替部２５の舌片２６が本体１５の収納部１６に収納されるまで切替部２５を回動させる。舌片２５が収納部１６に収納されると、保護部２１の先端２２は図８の（５）で示す第２の位置（Ｐ２）にあり、刃先１８は保護部２１によって囲われずに露出された状態となり、保護状態が解除される。したがって、この状態でも彫刻刀１１を使用することができる。
【００３０】
尚、保護部２１の先端２２が第２の位置（Ｐ２）にあるとき、上述したように、第１軸３１及び第３軸３３を結ぶ線（図８中、一点破線）は、保護部２１のスライド方向と平行であり、第２軸３２は、第１軸３１及び第３軸３３を結ぶ線（一点鎖線）の延長線よりも本体１５側に位置すると共に、連結部２８は本体１５に寄り添っている。したがって、彫刻刀１１の保護状態が解除された状態（以下「解除状態」という）で、保護部２１を第１の位置（Ｐ１）にスライドさせる外力が加えられると、連結部２８は本体１５側に移動しようとする。しかしながら、連結部２８は本体１５に寄り添っているので移動しない。その結果、解除状態において保護部２１が不用意に第１の位置（Ｐ１）へスライドすることはないので、彫刻刀１１の使用勝手が損なわれることはない。
【００３１】
尚、解除状態から保護状態に戻すには、舌片２６を引き起こし、切替部２５を刃体部１７側に回動させて、保護部２２を第１の位置（Ｐ１）に向かって移動させる。つまり、図８及び図９のそれぞれで示した（１）から（５）の各工程を逆から繰り返せば良い。このような構成とすることで、彫刻刀１１の保護状態の切替を容易に行うことができる。又、保護状態の切り替えは、刃体部１７から離れた位置にある切替部２５で操作できるので、彫刻刀１１の安全性がより一層向上する。更に、彫刻刀１１を構成する部材を簡易とすることができるため、コストを低減させることができる。
【００３２】
尚、上記の実施の形態では、切替部、連結部、及び保護部はそれぞれ特定の軸によって連結されているが、切替部が本体に、連結部の一方端が切替部に、連結部の他方端が保護部にそれぞれ回動自在に連結されるのであれば、他の方法で連結されていても良い。
【００３３】
又、上記の実施の形態では、保護部は所定位置を移動するように構成されているが、少なくとも刃先を囲う第１の位置と、刃先を囲わない第２の位置との間を移動するのであれば、他の位置に移動するように設定しても良い。
【００３４】
更に、上記の実施の形態では、第１軸、第２軸、及び第３軸はそれぞれ特定位置に配置されているが、他の位置に配置しても良い。
【００３５】
更に、上記の実施の形態では、連結部は、第１の位置及び第２の位置のそれぞれにおいて特定の状態にあるが、他の状態にあっても良い。
【００３６】
更に、上記の実施の形態では、切替部は特定形状を有するが、他の形状であっても良い。又、舌片は切替部を引き起こす他の構成を採用しても良く、更には、舌片のない構成としても良い。
【００３７】
更に、上記の実施の形態では、保護部は特定形状を有しているが、保護部の形状は刃先を囲うものであれば他の形状であっても良い。
【００３８】
更に、上記の実施の形態では、本体は特定形状を有しているが、他の形状であっても良い。
【００３９】
更に、上記の実施の形態では、連結部は特定形状を有しているが、他の形状であっても良い。
【符号の説明】
【００４０】
１１…彫刻刀
１５…本体
１７…刃体部
１８…刃先
２１…保護部
２５…切替部
２６…舌片
２８…連結部
３１…第１軸
３２…第２軸
３３…第３軸
尚、各図中同一符号は同一又は相当部分を示す。
【図１】
0005916787.tif 000002
【図２】
0005916787.tif 000003
【図３】
0005916787.tif 000004
【図４】
0005916787.tif 000005
【図５】
0005916787.tif 000006
【図６】
0005916787.tif 000007
【図７】
0005916787.tif 000008
【図８】
0005916787.tif 000009
【図９】
0005916787.tif 000010
【図１０】
0005916787.tif 000011